(57)【要約】【課題】引紐の引き量を多くしなくても該引紐の引き絞りによって、多数の細い花弁を有する豪華で繊細な花形飾りを形成できるリボンを提供する。【解決手段】リボン地２に、その縦方向に引紐３を配置する。リボン地２は、縦方向に延長する鎖ウェール５からなる糸状片の複数本が、横方向で平行して配置されている。そして、夫々の鎖ウェール５には、縦方向に連続形成された各鎖１０に、第１の編糸９が蛇行状態に編み込まれ、隣り合う糸状片相互が、縦方向に所要間隔を置いて、挿入組織からなる連結部７により連結されている。又隣り合う鎖ウェールのうちの所要のものにおいて、連結部７が存する部分で、第２の編糸１３が、鎖ウェール間を蛇行状態に往復され、往復した糸の集合によってカバー部１５が形成されている。そして、カバー部１５と連結部７との間で、引紐３を挿通させる挿通部１６が形成されている。【選択図】図２
2005054309.tif 000002
【特許請求の範囲】
【請求項１】
リボン地に、その縦方向に延長する引紐を配置してなる花形飾り形成用リボンであって、
該リボン地は、縦方向に延長する鎖ウェールからなる糸状片の複数本が、横方向で平行して配置されると共に、夫々の鎖ウェールには、縦方向に連続形成された各鎖に、第１の編糸が蛇行状態に編み込まれており、又、隣り合う糸状片相互が、縦方向に所要間隔を置いて、挿入組織からなる連結部により連結されており、該連結部は、隣り合う鎖ウェールの一方に編み込まれている前記第１の編糸が、他方の鎖ウェールに編み込まれることによって形成されており、又、隣り合う鎖ウェールのうちの所要のものにおいて、前記連結部が存する部分で、第２の編糸が、鎖ウェール間を蛇行状態に往復され、往復した糸の集合によってカバー部が形成され、該カバー部と前記連結部との間で、前記引紐を挿通させる挿通部が形成されていることを特徴とする花形飾り形成用リボン。
【請求項２】
前記鎖ウェールに編み込まれている前記第１の編糸は、テープ状に形成され、その平面部分が、縦方向に連続する前記鎖のニードルループとシンカループとの間に挟み込まれており、隣り合う鎖間に渡り且つ横に突出する渡り糸が捩じれた状態にあることを特徴とする請求項１記載の花形飾り形成用リボン。
【請求項３】
前記鎖ウェールに編み込まれている前記第１の編糸は、テープ状のラメ糸として形成され、その平面部分が、縦方向に連続する前記鎖のニードルループとシンカループとの間に挟み込まれており、隣り合う鎖間に渡り且つ横に突出するＵ字状に屈曲した渡り糸が捩じれた状態にあることを特徴とする請求項１記載の花形飾り形成用リボン。
【発明の詳細な説明】
【技術分野】
【０００１】
本発明は、引紐の引絞りによって豪華な花形飾りを形成可能とする花形飾り形成用リボンに関するものである。
【背景技術】
【０００２】
引紐の引絞りによって花形飾りを形成し得るリボンの一例としては、特開昭６２−１０１８９１号公報が開示するものが提案されている。該リボンは、図８に示すように、リボン生地ａに、その長さ方向に延長する如く引紐ｂを配置し、該引紐ｂを、リボン生地ａにその長さ方向に所要間隔を隔てて設けた挿通部ｃに挿通させてなる構成を有していた。そして前記引紐ｂを引絞ることによって、前記挿通部ｃ，ｃ間をなすリボン生地ａ１が図９に示すように屈曲することにより、リボン生地の全幅を花弁幅とする花弁が形成され、この花弁ｄが集合して花形飾りｅが形成されるようになされていた。
【０００３】
しかしながら、かかる従来の花形飾り形成用リボンによるときは、形成される花弁ｄの幅がリボン生地ａの幅を有するため、リボン生地の長さ方向で隣り合う前記連結部ｃ，ｃ間が１枚の花弁を形成できるだけであった。そのため、引紐の引絞りによって形成される花形飾りは、花弁幅が大きい花弁が比較的小数集合したものとならざるを得ず、形成できる花形飾りは、その豪華さにおいて限界があった。
【０００４】
なお、花形飾りの花弁枚数を多くしたい場合は、長さの長いリボンを使用すればよいと考えられる。しかしながら、リボン長さを長くすればするほど、前記引紐の引量がそれだけ多くなるために、前記挿通部ｃにおける摩擦抵抗の増大によって、引紐の引絞りを円滑に行なうことができない問題が発生した。
【０００５】
かかる問題点を解決せんとして、本出願人は、実用新案登録第３０９３９５５号において、引紐の引き量を多くしなくても該引紐の引絞りによって、多数の花弁を有する豪華な花形飾りを形成できるリボンを提供した。このリボンは、リボン生地に、その長さ方向に延長する引紐を配置してなり、該リボン地は、一定方向に延長する経編地からなるテープ片の複数本が平行して配置されると共に、隣り合うテープ片の縁部相互は、テープ片の長さ方向に所要間隔を置いて、挿入組織からなる連結部により連結された構成を有していた。
【０００６】
かかる構成を有するリボンによるときは、前記引紐の引絞りによって、各テープ片が花弁を形成できるため、従来のリボンが、リボン生地の長さ方向に隣り合う連結部間で１枚の花弁しか形成できなかったのとは異なり、より豪華な花形飾りを形成できる利点があった。
【０００７】
しかしながら、このように形成された花形飾りを構成する花弁は、あくまでも経編地からなるテープ片を用いて形成されるものであったため、より繊細な花形飾りを求める市場の要求に応じ難い問題があった。
【特許文献１】実開昭６２−１０１８９１号公報（第１頁、第１−４図）
【特許文献２】登録実用新案第３０９３９５５号公報（第３−４頁、図１−４）
【発明の開示】
【発明が解決しようとする課題】
【０００８】
本発明は、かかる市場の要求に鑑みて開発されたものであり、引紐の引き量を多くしなくても該引紐の引絞りにより多数の細い花弁を形成でき、豪華でしかも繊細な花形飾りを形成できる花形飾り形成用リボンの提供を課題とするものである。
【課題を解決するための手段】
【０００９】
前記課題を解決するため、本発明は以下の手段を採用する。
即ち本発明に係る花形飾り形成用リボンは、リボン地に、その縦方向に延長する引紐を配置してなる花形飾り形成用リボンであって、該リボン地は、縦方向に延長する鎖ウェールからなる糸状片の複数本が、横方向で平行して配置されると共に、夫々の鎖ウェールには、縦方向に連続形成された各鎖に、第１の編糸が蛇行状態に編み込まれている。又、隣り合う糸状片相互が、縦方向に所要間隔を置いて、挿入組織からなる連結部により連結されており、該連結部は、隣り合う鎖ウェールの一方に編み込まれている前記第１の編糸が、他方の鎖ウェールに編み込まれることによって形成されている。又、隣り合う鎖ウェールのうちの所要のものにおいて、前記連結部が存する部分で、第２の編糸が、鎖ウェール間を蛇行状態に往復され、往復した糸の集合によってカバー部が形成され、該カバー部と前記連結部との間で、前記引紐を挿通させる挿通部が形成されていることを特徴とするものである。
【００１０】
前記花形飾り形成用リボンにおいて、前記鎖ウェールに編み込まれている前記第１の編糸をテープ状に形成し、その平面部分が、縦方向に連続する前記鎖のニードルループとシンカループとの間に挟み込まれた状態とし、隣り合う鎖間を連結し且つ横に突出する渡り糸を捩じれた状態にするのがよい。
【００１１】
又前記花形飾り形成用リボンにおいて、前記鎖ウェールに編み込まれている前記第１の編糸をテープ状のラメ糸として形成し、その平面部分が、縦方向に連続する前記鎖のニードルループとシンカループとの間に挟み込まれた状態とし、隣り合う鎖間を連結し且つ横に突出するＵ字状に屈曲した渡り糸を捩じれた状態にするのがよい。
【発明の効果】
【００１２】
本発明は、以下の如き優れた効果を奏する。
(1) 本発明に係るリボンは、リボン地に、縦方向に延長する引紐を配置してなり、該リボン地は、縦方向に延長する鎖ウェールからなる糸状片の複数本が横方向で平行して配置されると共に、各鎖ウェールには、縦方向で連続形成された鎖に第１の編糸が蛇行状態に編み込まれており、又、隣り合う糸状片相互が、縦方向に所要間隔を置いて、挿入組織からなる連結部により連結された構成を有するため、前記引紐の引き絞りによって、各糸状片が細い花弁を形成できる。従って、経編地からなるテープ片を用いた従来のリボンに比し、より一層繊細で豪華な花形飾りを形成できることになる。
【００１３】
(2) 特に前記第１の編糸として、テープ状をなす糸を用いるときは、鎖ウェールの隣り合う鎖間を連結し且つ横に突出する渡り糸が、その両端側の平面部分がニードルループとシンカループとの間に挟み込まれているために捩じれた状態になり、繊細に光を反射でき、形成された花形飾りをより豪華に見せることができる。
特に、第１の編糸として、テープ状をなすラメ糸を用いるときは、その剛性によって連結部をＵ字状の屈曲状態にでき、しかも、該テープ状のラメ糸がより一層繊細に光を反射するため、形成された花形飾りをより一層豪華に見せることができる。
又、このように第１の編糸が捻じれた状態となることから、これが鎖ウェールから抜けにくい利点もある。
【実施例１】
【００１４】
以下、本発明の実施の形態を図面に基づいて説明する。
図１〜２において本発明に係る花形飾り形成用リボン（以下リボンと言う）１は、リボン地２の長手中央線に沿う如く引紐３を配置した構成を有している。
【００１５】
該リボン地２は、例えばナイロン糸を用いて形成された一方向に延長する鎖ウェール５からなる糸状片６の複数本（例えば１２本）が横方向で平行して配置されると共に、隣り合う糸状片６，６相互は、該糸状片６の長さ方向に所要間隔を置いて、挿入組織からなる連結部７により連結されている。
【００１６】
前記鎖ウェール５には、縦方向に連続形成された各鎖に第１の編糸９が蛇行状態に編み込まれており、前記連結部７は、図２に示すように、隣り合う鎖ウェール５ａ，５ｂの一方５ａに編み込まれている前記第１の編糸９が、他方の鎖ウェール５ｂに編み込まれることによって、形成されている。
【００１７】
該第１の編糸９は、例えば図２〜３に示すように、０．４ｍｍ程度の幅を有するテープ状のラメ糸として形成され、その平面部分８が、縦方向に連続する各鎖１０の、ニードルループ１１とシンカループ１２との間に挟み込まれており、隣り合う鎖ウェール５ａ，５ｂ間を蛇行状態に、例えば２回往復する如く編み込まれて前記連結部７が形成されている。そして、隣り合う鎖１０，１０間に渡り且つ横に突出する、Ｕ字状に屈曲した渡り糸８は、該渡り糸の両端側の平面部分８ａ，８ａが、前記のようにニードルループ１１とシンカループ１２との間に挟み込まれているため、図３に拡大して示すように捻じれた状態にある。このように捻じれた状態になる結果、テープ状のラメ糸９ａは、単純に平滑状態にあるよりも一層繊細に光を反射し、ラメ糸本来の意匠効果をより一層引き出すことができる。又、該第１の編糸９は、蛇行状態に編み込まれており、しかも捻じれた状態にあるため、鎖１０から抜けにくい。
【００１８】
又図４〜６に拡大して示すように、隣り合う鎖ウェール５ａ，５ｂの内の所要のもの（例えば中央に位置する２本）において、前記連結部７が存する部分で、例えばナイロン糸を用いてなる第２の編糸１３が、該鎖ウェール５ａ，５ｂ間を蛇行状態に、例えば２回往復され、往復した糸の集合によってカバー部１５が形成され、該カバー部１５と前記連結部７との間で、前記引紐３を挿通させる挿通部１６が形成されている。なお図４においては、第２の編糸１３が、カバー部１５形成部分以外では同一の鎖ウェールに編み込まれているが、図６では、第２の編糸１３が、カバー部１５形成部分以外では、対向する鎖ウェール５ａ，５ｂに交互に編み込まれている。
【００１９】
なお図２に示すように、一方の端部に配置された鎖ウェール５ｃに編み込まれている第１の編糸９は、これに隣り合う鎖ウェール５ｄに編み込まれているが、他方の端部に配置された鎖ウェール５ｅに編み込まれている第１の編糸９は、該鎖ウェール５ｅにのみ編み込まれており、隣り合う鎖ウェールには編み込まれていない。
【００２０】
このように形成された挿通部１６が、リボンの長さ方向に並設されている。リボンの長さ方向で見た挿通部１６，１６間の間隔Ｌ（図１）は、形成せんとする花弁の大きさを決めるものであり、４０〜４００ｍｍ程度に設定される。本実施の形態においては８５ｍｍ程度に設定されている。そして前記引紐３は、経編工程において各挿通部１６に順次挿通せしめられ、中央に位置する２本の糸状片６ａ，６ｂ間に配置されている。
【００２１】
かかる構成を有するリボン１を、約５０〜１００ｃｍ程度の長さに切断し、一方の手で引紐３の両端を持ち、且つ他方の手でリボン１の両端を軽く押えつつ該引紐３を引き絞ると、例えば図７に示す如く、各糸状片６の、隣り合う連結部７，７間が弧状に屈曲して花弁１７が形成され、このような花弁１７が集合した豪華で繊細な花形飾り１９を形成できることになる。
【実施例２】
【００２２】
本発明は、前記実施例で示したものに限定されるものでは決してなく、「特許請求の範囲」の記載内で種々の設計変更が可能であることはいうまでもない。その一例を挙げれば次のようである。
(1) 前記リボン地２に配置する引紐３の本数は、複数本、例えば２本に設定されることもある。
【００２３】
(2) リボン地を構成する糸状片６の配置本数は、形成せんとするリボンの幅を考慮して所要に設定される。
【００２４】
(3) 鎖ウェールに編み込む第１の編糸としては、前記ラメ糸の他、着色糸等を用いることができる。
【００２５】
(4) 又、前記引紐３は、所望の花形飾りを形成できる限り、リボン地の縁に寄せて配置されることもある。
【図面の簡単な説明】
【００２６】
【図１】本発明に係るリボンを示す部分斜視図である。
【図２】その組織図である。
【図３】第１の編糸の蛇行状態を示す組織拡大図である。
【図４】引紐の配置状態を示す組織拡大図である。
【図５】挿通部に引紐が挿通した状態を示す断面図である。
【図６】引紐の他の配置状態を示す組織拡大図である。
【図７】本発明に係るリボンを用いて形成された花形飾りを示す斜視図である。
【図８】従来のリボンを示す部分斜視図である。
【図９】そのリボンを用いて形成された花形飾りを示す斜視図である。
【符号の説明】
【００２７】
１  リボン
２  リボン地
３  引紐
５  鎖ウェール
６  糸状片
７  連結部
８  渡り糸
９  第１の編糸
１０  鎖
１１  ニードルループ
１２  シンカループ
１３  第２の編糸
１５  カバー部
１６  挿通部
１７  花弁
１９  花形飾り
【図１】
2005054309.tif 000003
【図２】
2005054309.tif 000004
【図３】
2005054309.tif 000005
【図４】
2005054309.tif 000006
【図５】
2005054309.tif 000007
【図６】
2005054309.tif 000008
【図７】
2005054309.tif 000009
【図８】
2005054309.tif 000010
【図９】
2005054309.tif 000011